(57)【特許請求の範囲】
【請求項１】
第一の電力供給線と電気的に接続する第一の電力供給線接続部を含む第一の接続部と、
第二の電力供給線と電気的に接続する第二の電力供給線接続部を含む第二の接続部と、
前記第一の電力供給線接続部または前記第二の電力供給線接続部に供給される電力を出力する出力部と、
前記出力部と前記第一の電力供給線接続部とが接続された第一の状態と、前記出力部と前記第二の電力供給線接続部とが接続された第二の状態とを切り替える切替部と、
前記第一の電力供給線と前記第一の電力供給線接続部とが電気的に接続している時、第一の検知信号を前記切替部に伝達する第一の検知部と、
第二の検知部と、
前記第一の検知部からの出力が入力される擬似接続回路と、
を有し、
前記切替部は、前記第一の検知信号を受信している時は、前記第一の状態を保持し、前記第一の検知信号を受信していない時は、前記第二の状態を保持し、
前記第二の接続部は、データ通信が可能な信号線と電気的に接続する信号線接続端子を有し、
前記信号線接続端子は、前記第二の電力供給線から前記第二の電力供給線接続部に電力が供給されている時、所定の状態となり、
前記出力部は、前記第一の検知信号の出力の有無と前記信号線接続端子の状態とに基づいて、前記第一の電力供給線接続部または前記第二の電力供給線接続部に供給される電力を出力し、
前記第二の検知部は、前記信号線接続端子が前記所定の状態となっていることを検知した時、第二の検知信号を出力し、
前記擬似接続回路は、前記第一の検知信号が入力された時、前記信号線接続端子が前記所定の状態になるよう制御し、
前記出力部は、前記第二の検知信号が入力された時、前記第一の電力供給線接続部または前記第二の電力供給線接続部に供給される電力を出力する、電力供給線接続装置。
【請求項２】
第一の電力供給線と電気的に接続する第一の電力供給線接続部を含む第一の接続部と、
第二の電力供給線と電気的に接続する第二の電力供給線接続部を含む第二の接続部と、
前記第一の電力供給線接続部または前記第二の電力供給線接続部に供給される電力を出力する出力部と、
前記出力部と前記第一の電力供給線接続部とが接続された第一の状態と、前記出力部と前記第二の電力供給線接続部とが接続された第二の状態とを切り替える切替部と、
前記第一の電力供給線と前記第一の電力供給線接続部とが電気的に接続している時、第一の検知信号を前記切替部に伝達する第一の検知部と、
第二の検知部と、
前記第一の検知部及び前記第二の検知部の出力に接続されたＯＲゲートと、
を有し、
前記切替部は、前記第一の検知信号を受信している時は、前記第一の状態を保持し、前記第一の検知信号を受信していない時は、前記第二の状態を保持し、
前記第二の接続部は、データ通信が可能な信号線と電気的に接続する信号線接続端子を有し、
前記信号線接続端子は、前記第二の電力供給線から前記第二の電力供給線接続部に電力が供給されている時、所定の状態となり、
前記出力部は、前記第一の検知信号の出力の有無と前記信号線接続端子の状態とに基づいて、前記第一の電力供給線接続部または前記第二の電力供給線接続部に供給される電力を出力し、
前記第二の検知部は、前記信号線接続端子が前記所定の状態となっていることを検知した時、第二の検知信号を出力し、
前記ＯＲゲートは、前記第一の検知信号と前記第二の検知信号の少なくともいずれか一方が前記ＯＲゲートに入力された時、第三の検知信号を出力し、
前記出力部は、前記第三の検知信号が入力された時、前記第一の電力供給線接続部または前記第二の電力供給線接続部に供給される電力を出力する、電力供給線接続装置。
【請求項３】
第一の電力供給線と電気的に接続する第一の電力供給線接続部を含む第一の接続部と、
第二の電力供給線と電気的に接続する第二の電力供給線接続部を含む第二の接続部と、
前記第一の電力供給線接続部または前記第二の電力供給線接続部に供給される電力を出力する出力部と、
前記出力部と前記第一の電力供給線接続部とが接続された第一の状態と、前記出力部と前記第二の電力供給線接続部とが接続された第二の状態とを切り替える切替部と、
前記第一の電力供給線と前記第一の電力供給線接続部とが電気的に接続している時、第一の検知信号を前記切替部に伝達する第一の検知部と、
第二の検知部と、
を有し、
前記切替部は、前記第一の検知信号を受信している時は、前記第一の状態を保持し、前記第一の検知信号を受信していない時は、前記第二の状態を保持し、
前記第二の接続部は、データ通信が可能な信号線と電気的に接続する信号線接続端子を有し、
前記信号線接続端子は、前記第二の電力供給線から前記第二の電力供給線接続部に電力が供給されている時、所定の状態となり、
前記出力部は、前記第一の検知信号の出力の有無と前記信号線接続端子の状態とに基づいて、前記第一の電力供給線接続部または前記第二の電力供給線接続部に供給される電力を出力し、
前記第二の検知部は、前記信号線接続端子が前記所定の状態となっていることを検知した時、第二の検知信号を出力し、
前記第一の検知部と前記第二の検知部からの出力はそれぞれ、前記出力部に入力され、
前記出力部は、前記第一の検知信号及び前記第二の検知信号の入力の有無に基づいて、前記第一の電力供給線接続部または前記第二の電力供給線接続部に供給される電力を出力し、
前記第二の検知部は、前記出力部から出力される電力が供給される電池の電圧を監視し、
前記第二の検知部は、前記信号線接続端子が前記所定の状態であり、且つ、前記電池の電圧が所定の値未満であることを検知した時、前記第二の検知信号を出力する、
電力供給線接続装置。
【請求項４】
前記第一の検知部は、前記第一の接続部に含まれる制御端子を含み、前記第一の電力供給線と前記第一の電力供給線接続部とが接続された時に前記制御端子を通して入力される信号を、前記第一の検知信号として前記切替部に伝達する、請求項１乃至３のいずれか一つに記載の電力供給線接続装置。
【請求項５】
前記第一の検知部は、前記第一の接続部と別個に配置された検出部を備え、前記検出部は、前記第一の電力供給線と前記第一の電力供給線接続部とが電気的に接続したことを検知した時に、前記第一の検知信号を出力する、請求項１乃至３のいずれか一つに記載の電力供給線接続装置。
【請求項６】
前記第二の検知部は、前記出力部から出力される電力が供給される電池の電圧を監視し、前記第二の検知部は、前記信号線接続端子が前記所定の状態であり、且つ、前記電池の電圧が所定の値未満であることを検知した時、前記第二の検知信号を出力する、請求項１又は２に記載の電力供給線接続装置。
【請求項７】
第一の電力供給線と第一の電力供給線接続部との電気的接続の有無を判定し、
前記第一の電力供給線と第一の電力供給線接続部とが電気的に接続していると判定した場合、
前記第一の電力供給線接続部が出力部と接続しているときは、その状態を保持し、
前記出力部が第二の電力供給線接続部と接続しているときは、前記出力部と前記第一の電力供給線接続部が接続するように切り替え、
前記第一の電力供給線と第一の電力供給線接続部とが電気的に接続していないと判定した場合、
前記第一の電力供給線接続部が出力部と接続しているときは、前記出力部が前記第二の電力供給線接続部と接続するように切り替え、
前記出力部が第二の電力供給線接続部と接続しているときは、その状態を保持し、
データ通信が可能な信号線と電気的に接続する信号線接続端子が所定の状態であるか否かを判定し、
前記第一の電力供給線と前記第一の電力供給線接続部との電気的接続の有無と、前記信号線接続端子の状態とに基づいて、前記第一の電力供給線接続部または前記第二の電力供給線接続部に供給される電力を出力し、
前記信号線接続端子は、前記第二の電力供給線接続部に電力が供給されると、前記所定の状態となり、
前記第一の電力供給線と前記第一の電力供給線接続部とが電気的に接続している時、第一の検知信号を出力し、前記信号線接続端子が前記所定の状態である時、第二の検知信号を出力し、前記第一の検知信号が送出された時、前記信号線接続端子が前記所定の状態になるよう制御し、前記第二の検知信号の、前記出力部への出力の有無に基づいて、前記第一の電力供給線接続部または前記第二の電力供給線接続部に供給される電力を出力する、
電力供給線接続方法。
【請求項８】
第一の電力供給線と第一の電力供給線接続部との電気的接続の有無を判定し、
前記第一の電力供給線と第一の電力供給線接続部とが電気的に接続していると判定した場合、
前記第一の電力供給線接続部が出力部と接続しているときは、その状態を保持し、
前記出力部が第二の電力供給線接続部と接続しているときは、前記出力部と前記第一の電力供給線接続部が接続するように切り替え、
前記第一の電力供給線と第一の電力供給線接続部とが電気的に接続していないと判定した場合、
前記第一の電力供給線接続部が出力部と接続しているときは、前記出力部が前記第二の電力供給線接続部と接続するように切り替え、
前記出力部が第二の電力供給線接続部と接続しているときは、その状態を保持し、
データ通信が可能な信号線と電気的に接続する信号線接続端子が所定の状態であるか否かを判定し、
前記第一の電力供給線と前記第一の電力供給線接続部との電気的接続の有無と、前記信号線接続端子の状態とに基づいて、前記第一の電力供給線接続部または前記第二の電力供給線接続部に供給される電力を出力し、
前記信号線接続端子は、前記第二の電力供給線接続部に電力が供給されると、前記所定の状態となり、
前記第一の電力供給線と前記第一の電力供給線接続部とが電気的に接続している時、第一の検知信号を出力し、
前記信号線接続端子が前記所定の状態である時、第二の検知信号を出力し、
前記第一の検知信号と前記第二の検知信号の少なくともいずれか一方が出力された時、第三の検知信号を出力し、
前記第三の検知信号の、前記出力部への出力の有無に基づいて、前記第一の電力供給線接続部または前記第二の電力供給線接続部に供給される電力を出力する、
電力供給線接続方法。
【請求項９】
前記出力部から出力される電力が供給される電池の電圧を監視し、前記信号線接続端子が前記所定の状態であり、且つ、前記電池の電圧が所定の値未満であることを検知した時、前記第二の検知信号を出力する、請求項７又は８に記載の電力供給線接続方法。
【発明の詳細な説明】
【技術分野】
【０００１】
本発明は、電力供給線接続装置及び電力供給線接続方法に関し、特に、二次電池を充電するための電力供給線接続装置及び電力供給線接続方法に関する。
【背景技術】
【０００２】
近年、携帯電話などの電子機器に内蔵あるいは装着された二次電池の充電方法として、ＵＳＢ（Ｕｎｉｖｅｒｓａｌ  Ｓｅｒｉａｌ  Ｂｕｓ）インターフェースを介して充電する方法が普及している。
【０００３】
ＵＳＢインターフェースを介した充電の方法に関連する技術が、例えば、特許文献１や特許文献２に記載されている。特許文献１に記載の充電装置においては、本体にＵＳＢコネクタが設けられている。このＵＳＢコネクタには、電力供給線を備えた通信ケーブルとしてのＵＳＢケーブルを接続することが可能となっている。そして、ＵＳＢケーブルの接続を検出し、所定の条件を満たすと、二次電池の充電を開始する。
【０００４】
しかしながら、特許文献１に記載の充電装置においては、充電を行う度に必ず、ユーザがＵＳＢケーブルを挿抜する必要が生じるという問題がある。そのため、より簡単な方法で充電可能な、充電装置が求められている。
【０００５】
この問題に対応する技術が、例えば特許文献２に記載されている。特許文献２に記載の携帯端末の回路構成を、図１２に示す。特許文献２に記載の携帯端末は、携帯端末とデータ装置とをＵＳＢケーブルで直接接続するためのＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）−Ａコネクタの他に、携帯端末を充電器に置いた状態で、充電器に接続されたデータ装置およびＡＣ（Ａｌｔｅｒｎａｔｉｎｇ  Ｃｕｒｒｅｎｔ）アダプタと接続するための充電器用端子を有する。この構成により、携帯端末を充電器に置いた状態で、充電及びＵＳＢ通信が可能となる。
【先行技術文献】
【特許文献】
【０００６】
【特許文献１】特開２０１０−１５４６９２号公報
【特許文献２】特開２００８−０２７１４７号公報
【発明の概要】
【発明が解決しようとする課題】
【０００７】
しかしながら、特許文献２に記載の携帯端末においては、ＡＲＩＢ−Ａコネクタや充電器端子など、複数の電力供給線接続部から供給される電力によって、二次電池が同時に充電される事態の発生を避けるために、接続部の構造に制約を課している。すなわち、特許文献２に記載の携帯端末は、複数の電力供給線接続部に、同時に電力供給線が接続されることを、構造上制限した構成としている。
【０００８】
本発明の目的は、上述した課題である、複数の電力供給線接続部を備えると、過剰な電力の供給を防止するために構造上の制約が必要になる、という課題を解決する、電力供給線接続装置及び電力供給線接続方法を提供することにある。
【課題を解決するための手段】
【０００９】
本発明の電力供給線接続装置は、第一の電力供給線と電気的に接続する第一の電力供給線接続を含む第一の接続部と、第二の電力供給線と電気的に接続する第二の電力供給線接続部を含む第二の接続部と、第一の電力供給線接続部または第二の電力供給線接続部に供給される電力を出力する出力部と、出力部と第一の電力供給線接続部とが接続された第一の状態と、出力部と第二の電力供給線接続部とが接続された第二の状態とを切り替える切替部と、第一の電力供給線と第一の電力供給線接続部とが電気的に接続している時、第一の検知信号を切替部に伝達する第一の検知部と、を有し、切替部は、第一の検知信号を受信している時は、第一の状態を保持し、第一の検知信号を受信していない時は、第二の状態を保持する。
【００１０】
本発明の電力供給線接続方法は、第一の電力供給線と第一の電力供給線接続部との電気的接続の有無を判定し、第一の電力供給線と第一の電力供給線接続部とが電気的に接続していると判定した場合、第一の電力供給線接続部が出力部と接続しているときは、その状態を保持し、出力部が第二の電力供給線接続部と接続しているときは、出力部と第一の電力供給線接続部が接続するように切り替え、第一の電力供給線と第一の電力供給線接続部とが電気的に接続していないと判定した場合、第一の電力供給線接続部が出力部と接続しているときは、出力部が第二の電力供給線接続部と接続するように切り替え、出力部が第二の電力供給線接続部と接続しているときは、その状態を保持する。
【００１１】
本発明の電力供給線接続プログラムは、第一の電力供給線と第一の電力供給線接続部との電気的接続の有無を判定する工程と、第一の電力供給線と第一の電力供給線接続部とが電気的に接続していると判定した場合、第一の電力供給線接続部が出力部と接続しているときは、その状態を保持し、出力部が第二の電力供給線接続部と接続しているときは、出力部と第一の電力供給線接続部が接続するように切り替える工程と、第一の電力供給線と第一の電力供給線接続部とが電気的に接続していないと判定した場合、第一の電力供給線接続部が出力部と接続しているときは、出力部が第二の電力供給線接続部と接続するように切り替え、出力部が第二の電力供給線接続部と接続しているときは、その状態を保持する工程と、をコンピュータに実行させる。
【発明の効果】
【００１２】
本発明の電力供給線接続装置及び電力供給線接続方法により、複数の電力供給線接続部を備えた場合であっても、構造上の制約を受けることなく、過剰な電力の出力の発生を防止することが可能となる。
【図面の簡単な説明】
【００１３】
【図１】本発明の第１の実施形態に係る電力供給線接続装置の構成を示すブロック図である。
【図２】本発明の第１の実施形態に係る電力供給線接続装置の動作を説明するためのフローチャートである。
【図３】本発明の第２の実施形態に係る電力供給線接続装置の構成を示すブロック図である。
【図４】本発明の第２の実施形態に係る電力供給線接続装置の動作を説明するためのフローチャートである。
【図５】本発明の第３の実施形態に係る電力供給線接続装置の構成を示すブロック図である。
【図６】本発明の第３の実施形態に係る電力供給線接続装置の動作を説明するためのフローチャートである。
【図７】本発明の第３の実施形態に係る電力供給線接続装置の他の構成を示すブロック図である。
【図８】本発明の第４の実施形態に係る電力供給線接続装置の構成を示すブロック図である。
【図９】本発明の第４の実施形態に係る電力供給線接続装置の動作を説明するためのフローチャートである。
【図１０】本発明の第５の実施形態に係る電力供給線接続装置の構成を示すブロック図である。
【図１１】本発明の第５の実施形態に係る電力供給線接続装置の動作を説明するためのフローチャートである。
【図１２】本発明に関連する携帯端末の回路構成を示す。
【発明を実施するための形態】
【００１４】
本発明の実施の形態について図面を参照しながら説明する。しかしながら、かかる形態は本発明の技術的範囲を限定するものではない。
【００１５】
［第１の実施形態］
本発明の第１の実施形態における電力供給線接続装置について、図１を用いて説明する。
【００１６】
本実施形態における電力供給線接続装置１０は、第一の接続部１１と、第二の接続部１２と、出力部１３と、切替部１４と、第一の検知部１５と、を備える。
【００１７】
第一の接続部１１は、第一の電力供給線と電気的に接続する第一の電力供給線接続部１６を含む。第二の接続部１２は、第二の電力供給線と電気的に接続する第二の電力供給線接続部１７を含む。出力部１３は、第一の電力供給線接続部１６または第二の電力供給線接続部１７に供給される電力を出力する。切替部１４は、出力部１３と第一の電力供給線接続部１６とが接続された第一の状態と、出力部１３と第二の電力供給線接続部１７とが接続された第二の状態と、を切り替える。第一の検知部１５は、第一の電力供給線と第一の電力供給線接続部１６とが電気的に接続している時、第一の検知信号を切替部１４に伝達する。
【００１８】
そして、切替部１４は、第一の検知信号を受信している時は、第一の状態を保持し、第一の検知信号を受信していない時は、第二の状態を保持する。
【００１９】
次に、本実施形態における電力供給線接続装置１０の動作について、図２を用いて説明する。
【００２０】
初めに、第一の電力供給線と第一の電力供給線接続部１６とが電気的に接続されているか否か（ステップＳ１）、場合を分けて説明する。
【００２１】
第一の電力供給線と第一の電力供給線接続部１６とが電気的に接続されている場合（ステップＳ１／ＹＥＳ）、第一の検知部１５は、第一の検知信号を切替部１４に伝達する（ステップＳ２）。
【００２２】
切替部１４は、第一の検知信号が入力されると、出力部１３と第一の電力供給線接続部１６とが接続状態になるよう、回路を切り替える（ステップＳ３）。すなわち、切替部１４は、出力部１３が第一の電力供給線接続部１６と接続しているときは、その状態を保持し、出力部１３が第二の電力供給線接続部１７と接続しているときは、出力部１３と第一の電力供給線接続部１６が接続するように切り替える。
【００２３】
そして、出力部１３は、第一の電力供給線接続部１６に供給される電力を出力する（ステップＳ４）。
【００２４】
次に、第一の電力供給線と第一の電力供給線接続部１６は電気的に接続されていない場合（ステップＳ１／ＮＯ）について述べる。
【００２５】
この場合は、第一の検知部１５は、第一の検知信号を切替部１４に伝達しない（ステップＳ５）。この場合、切替部１４は、出力部１３と第一の電力供給線接続部１６とが接続する状態から、出力部１３と第二の電力供給線接続部１７とが接続する状態になるよう、回路を切り替える（ステップＳ６）。すなわち、出力部１３が第一の電力供給線接続部１６と接続しているときは、出力部１３が第二の電力供給線接続部１７と接続するように切り替え、出力部１３が第二の電力供給線接続部１７と接続しているときは、その状態を保持する。
【００２６】
そして、出力部１３は、第二の電力供給線接続部１７に供給される電力を出力する（ステップＳ７）。
【００２７】
ここで、第一の電力供給線と第一の電力供給線接続部１６とが電気的に接続されている時に、第二の電力供給線と第二の電力供給線接続部１７とが同時に接続される場合について述べる。
【００２８】
この場合であっても、第一の検知部１５は、切替部１４に第一の検知信号を伝達している（ステップＳ２）。そのため、切替部１４は、出力部１３の接続先が第一の電力供給線接続部１６となるように制御している（ステップＳ３）。従って、この状態で第二の電力供給線と第二の電力供給線接続部１７とが接続されたとしても、出力部１３が出力する電力は、第一の電力供給線接続部１６に供給される電力のみとなる。このため、二重接続による過剰電力の供給を防止することができる。
【００２９】
次に、第二の電力供給線と第二の電力供給線接続部１７とが電気的に接続されている時に、第一の電力供給線と第一の電力供給線接続部１６とが接続される場合について述べる。
【００３０】
この場合、第一の電力供給線と第一の電力供給線接続部１６とが接続され、切替部１４に第一の検知信号が伝達された時（ステップＳ２）、切替部１４は、出力部１３の接続先を、第二の電力供給線接続部１７から第一の電力供給線接続部１６に切り替える（ステップＳ３）。従って、出力部１３が出力する電力は、第一の電力供給線接続部１６に供給される電力のみとなる。たとえ、切替部１４の誤作動等により、切り替えがなされなかった場合であっても、出力部１３から出力される電力は、第二の電力供給線接続部１７に供給される電力のみとなる。
【００３１】
従って、いずれの場合においても、第一の電力供給線接続部１６と第二の電力供給線接続部１７とに供給された電力が、同時に、出力部１３から出力される事態は発生しない。そのため、出力部１３から過剰な電力が出力されることはない。
【００３２】
そのため、例えば、出力部１３から出力される電力によって二次電池の充電を行う場合には、過充電の発生を防ぐことが可能となる。
【００３３】
また、第一の電力供給線接続部１６と第二の電力供給線接続部１７との配置上の制限、及びそれぞれの構造上の制限はない。そのため、本実施形態においては、複数の電力供給線接続部を備えた場合であっても、構造上の制約を受けることなく、過剰な電力の出力の発生を防止することが可能となる。
【００３４】
［第２の実施形態］
本発明の第２の実施形態における電力供給線接続装置について、図３を用いて説明する。
【００３５】
本実施形態における電力供給線接続装置２０は、第一の接続部２１と、第二の接続部２２と、出力部２３と、切替部２４と、第一の検知部２５と、第二の検知部２６と、を備える。
【００３６】
第一の接続部２１は、第一の電力供給線と接続する第一の電力供給線接続部２９を有する。
【００３７】
第二の接続部２２は、電力供給線と電気的に接続する第二の電力供給線接続部２７と、データ通信が可能な信号線と電気的に接続する信号線接続端子２８（Ｄ＋／Ｄ−）を有する。第二の接続部２２は、例えば、ＵＳＢコネクタなどである。
【００３８】
信号線接続端子２８は、第二の電力供給線から第二の電力供給線接続部２７への電力の有無に応じた信号を受信する。
【００３９】
第二の検知部２６は、信号線接続端子２８が電力供給を示す信号を受信したことを検知すると、第二の検知信号を出力部２３に出力する。
【００４０】
第一の検知部２５は、第一の接続部２１に含まれる制御端子である。また、第一の検知部２５は、第一の電力供給線と第一の電力供給線接続部２９とが接続された時に入力される信号を、第一の検知信号として切替部２４及び出力部２３に伝達する。
【００４１】
第一の検知部２５と、第二の検知部２６の出力はそれぞれ、出力部２３に入力される。
【００４２】
そして、出力部２３は、第一の検知信号及び第二の検知信号の入力の有無に基づいて、第一の電力供給線接続部２９または第二の電力供給線接続部２７に供給される電力を出力する。
【００４３】
次に、本実施形態における電力供給線接続装置２０の動作について、図４を用いて説明する。
【００４４】
ここでは、第一の電力供給線と第一の電力供給線接続部２９とが電気的に接続されるか否か（ステップＳ１１）に分けて説明する。
【００４５】
本実施形態では、第一の電力供給線と第一の電力供給線接続部２９とが電気的に接続されると、第一の接続部２１に含まれる第一の検知部２５には、所定の信号が入力される構成とした。例えば、第一の電力供給線は、充電台が備える充電端子に接続された電力供給線であることとしても良い。この場合、充電台と第一の電力供給線接続部２９とが電気的に接続されると、該充電台が備える端子から出力される所定の信号が、第一の検知部２５に入力される。
【００４６】
第一の電力供給線と第一の電力供給線接続部２９とが電気的に接続されている場合（ステップＳ１１／ＹＥＳ）、第一の検知部２５は、該所定の信号を、第一の検知信号として、切替部２４に伝達する（ステップＳ１２）。
【００４７】
切替部２４は、第一の検知信号が入力されると、出力部２３と第一の電力供給線接続部２９とが接続する状態になるよう、回路を切り替える（ステップＳ１３）。
【００４８】
また、第一の検知部２５は、第一の検知信号を、出力部２３にも伝達する。そして、出力部２３は、第一の検知信号が入力されると、第一の電力供給線接続部２９から供給される電力を出力する（ステップＳ１４）。
【００４９】
次に、第一の電力供給線と第一の電力供給線接続部２９が電気的に接続されていない場合（ステップＳ１１／ＮＯ）について述べる。
【００５０】
第一の電力供給線と第一の電力供給線接続部２９は電気的に接続されていないため、第一の検知部２５には信号は入力されない。そのため、切替部２４には、第一の検知信号は伝達されない（ステップＳ１５）。
【００５１】
この場合、切替部２４は、出力部２３と第二の電力供給線接続部２７とが接続する状態になるよう、回路を切り替える（ステップＳ１６）。
【００５２】
一方、第二の検知部２５は、第二の電力供給線から第二の電力供給線接続部２７へ電力が供給されているか否かを判断する（ステップＳ１７）。本実施形態では、信号線接続端子２８が、電力供給を示す信号を受信すると、信号線接続端子２８は所定の状態となる構成とした。所定の状態とは、例えば短絡状態である。そして、第二の検知部２６は、信号線接続端子２８が電力供給を示す信号を受信したことを検知すると（ステップＳ１７／ＹＥＳ）、第二の検知信号を出力する（ステップＳ１８）。
【００５３】
そして、出力部２３は、第二の検知信号が入力されると、第二の電力供給線接続部２７から供給される電力を出力する（ステップＳ１９）。
【００５４】
以上のように、本実施形態における電力供給線接続装置２０は、第１の実施形態の電力供給線接続装置１０と同様に、第一の電力供給線接続部２９と第二の電力供給線接続部２７とに供給された電力が、同時に、出力部２３から出力される事態は発生しない。
【００５５】
そのため、本実施形態における電力供給線接続装置２０は、複数の電力供給線接続部を有しながらも、出力部２３から出力される電力の変動を抑制することが可能となる。
【００５６】
また、本実施形態における第一の検知部２５は、第一の接続部２１に含まれる制御端子とした。そして、第一の検知部２５は、第一の電力供給線が第一の電力供給線接続部２９に電気的に接続した時、所定の信号が入力されることとした。そして、該所定の信号を、第一の検知信号として用いることとした。そのため、第一の検知部２５は、入力された信号を伝達する機能を有していれば良いため、内部で信号を生成する構造と比較して、簡易な構造とすることができる。
【００５７】
また、本実施形態における第二の接続部２２は、信号線接続端子２８を有することとした。そのため、第二の接続部２２は、第二の電力供給線から第二の電力供給線接続部２７に電力が供給されていない間、信号線接続端子２８を介したデータ通信が可能となる。
【００５８】
本実施形態によれば、出力部２３は、第一の検知信号及び第二の検知信号に基づいて、第一の電力供給線接続部２９または第二の電力供給線接続部２７から供給される電力を出力する。そのため、切替部２４の切り替えによる、急激な電圧変化を緩和し、電力出力対象、例えば二次電池などの損傷を回避することができる。
【００５９】
なお、本実施形態においては、第一の検知信号が直接、出力部２３に入力されることとしたが、これに限らない。すなわち、後述する第３の実施形態のように、第一の検知信号は、擬似接続回路に入力されることとしても良い。そして、第一の検知信号は、擬似接続回路を介して、出力部２３の動作を制御することとしても良い。
【００６０】
あるいは、後述する第４の実施形態のように、第一の検知信号及び第二の検知信号は、ＯＲゲートに入力されることとしても良い。そして、第一の検知信号及び第二の検知信号は、ＯＲゲートを介して、出力部２３の動作を制御することとしても良い。
【００６１】
［第３の実施形態］
次に、本発明の第３の実施形態について説明する。本実施形態においては、電力供給線接続装置を、二次電池の充電に用いる場合について説明する。
【００６２】
二次電池の過充電を防止する方法として、二次電池に供給する電力の電流値や電圧値が一定になるよう制御する、充電制御回路を用いる方法が挙げられる。例えば、特許文献２に記載の充電回路は、充電回路に供給された電力の定電流定電圧制御を行った上で、二次電池の充電を行っている。
【００６３】
しかしながら、充電回路が、電力を受け付ける入力部を複数有している場合、該充電回路が、出力する電力の電流値や電圧値が一定になるよう制御することができる場合であっても、二次電池の過充電が発生し得る。これは、複数の電力供給線接続部に供給された電力がそれぞれ、同時に充電回路に入力された場合、充電回路や電力供給線接続部の破損や誤動作が発生する恐れがあるからである。例えば、充電回路に対して、電圧の異なる複数の電力が同時に入力した場合、電圧が低い方の電力を供給する電力供給線接続部に対して電流が逆流し、該電力供給線接続部や充電回路の破損や誤動作が発生する。特許文献２に記載の携帯端末は、この問題を回避するため、構造に制約を課している。すなわち、特許文献２に記載の携帯端末は、複数の電力供給線接続部に同時に電力供給線が接続されることを構造上制限することで、複数の電力供給線接続部に供給された電力が同時に充電回路に入力されることを回避している。これにより、充電回路の破損や誤動作の発生を防止している。しかしながら、構造上の制約は少ない方が好ましい。
【００６４】
そこで、本実施形態においては、充電制御回路の誤作動や破損を防止するために、構造上の制約を必要としない、電力供給線接続装置について述べる。
【００６５】
本実施形態における電力供給線接続装置３０を、図５に示す。電力供給線接続装置３０は、ＵＳＢコネクタ３１と、充電台接続部３２と、切替部３３と、制御部３４と、充電制御回路３５と、擬似接続回路３６と、を備える。
【００６６】
ＵＳＢコネクタ３１は、信号線と電気的に接続する信号線接続端子３９と、電力供給線と電気的に接続する電力供給線接続端子４０と有する。ＵＳＢコネクタ３１は、ＵＳＢ充電アダプタなどに接続することで、電力の供給を受けることが可能なコネクタである。充電台接続部３２は、充電端子３７と、制御端子３８を有し、充電台に接続する。充電端子３７は、充電台と充電台接続部３２とが接続する時、充電台側の充電端子と電気的に接続する。制御端子３８は、充電台が充電台接続部３２に接続したことを検出した時、第一の検知信号を切替部３３に伝達する。
【００６７】
切替部３３は、第一の検知信号を受信している時は、充電台接続部３２と充電制御回路３５とが接続する第一の状態に切り替える。一方、切替部３３は、第一の検知信号を受信していない時は、ＵＳＢコネクタ３１と充電制御回路３５とが接続する第二の状態に切り替える。制御部３４は、ＵＳＢコネクタ３１の信号線接続端子３９が所定の状態となったことを検出した時、第二の検知信号を出力する。充電制御回路３５は、二次電池への電力の供給の開始を制御する。また、充電制御回路３５は、二次電池へ供給する電力の電流値及び電圧値を制御し、二次電池に過充電等の問題が発生しないよう制御する。
【００６８】
また、擬似接続回路３６には、制御端子３８から第一の検知信号が伝達される。そして、擬似接続回路３６に第一の検知信号が入力されると、擬似接続回路３６は、ＵＳＢコネクタ３１の信号線接続端子３９が所定の状態、例えば短絡状態となるように制御する。
【００６９】
そして、充電制御回路３５は、第二の検知信号が入力された時、二次電池への電力の供給を開始する。
【００７０】
次に、本実施形態における電力供給線接続装置３０の動作について、図６を用いて説明する。電力供給線接続装置３０の動作は、制御端子３８からの第一の検知信号の出力の有無によって、分岐する。すなわち、第一の検知信号の出力レベル（ＨＩＧＨレベルもしくはＬＯＷレベル）によって、分岐する（ステップＳ２１）。
【００７１】
初めに、充電台を充電台接続部３２に接続することで充電をする場合について述べる。充電台が充電台接続部３２に接続されると、充電台側の充電端子が、充電台接続部３２の充電端子３７に接続される。この時、充電台接続部３２に含まれる制御端子３８は、充電台に接続し、充電台から所定の信号が入力される。そして、制御端子３８は、該所定の信号を、第一の検知信号として出力する。すなわち、制御端子３８は、充電台から所定の信号が入力されることで、充電台と充電台接続部３２とが接続したことを検知し、該所定の信号を第一の検知信号として出力する。これにより、制御端子３８からの出力は、ＨＩＧＨレベルとなる（ステップＳ２１／ＹＥＳ）。
【００７２】
制御端子３８から出力された第一の検知信号は、切替部３３に入力される。本実施形態の切替部３３は、第一の検知信号が入力されると、充電制御回路３５の接続先を充電台接続部３２に切り替える（ステップＳ２２）。
【００７３】
また、制御端子３８が出力した第一の検知信号は、擬似接続回路３６にも入力される。この場合、擬似接続回路３６は動作を開始する（ステップＳ２３）。すなわち、擬似接続回路３６は、ＵＳＢコネクタ３１の信号線接続端子３９の状態を、ＵＳＢコネクタ３１に電力が供給されている場合の所定の状態となるよう制御する。本実施形態においては、ＵＳＢコネクタ３１に電力が供給されると、ＵＳＢコネクタ３１の信号線接続端子３９は短絡状態となる構成とした。すなわち、擬似接続回路３６は、第一の検知信号が入力されると、ＵＳＢコネクタ３１の接続状態に関わらず、信号線接続端子３９を短絡状態とする。これにより、ＵＳＢコネクタ３１の信号線接続端子３９は、擬似的に、ＵＳＢコネクタ３１に電力が供給されている場合の状態となる。
【００７４】
そして、制御部３４は、ＵＳＢコネクタ３１が短絡状態となったことを検出すると、第二の検知信号を出力する（ステップＳ２４）。
【００７５】
充電制御回路３５は、第二の検知信号が入力されると、切替部３３を介して入力される電力の電流値及び電圧値を制御した上で、二次電池への電力の供給を開始する（ステップＳ２５）。これにより、充電台接続部３２から供給される電力は二次電池へ供給され、二次電池の充電が開始される。
【００７６】
次に、ＵＳＢインターフェースによる充電を行う場合について述べる。初めに、ＵＳＢコネクタ３１に、例えばＵＳＢ充電アダプタが接続され、電力が供給される。充電台が充電台接続部３２に接続していない場合、制御端子３８は第一の検知信号を出力しない。すなわち、制御端子３８からの出力は、ＬＯＷレベルとなる（ステップＳ２１／ＮＯ）。そのため、切替部３３は、充電制御回路３５の接続先をＵＳＢコネクタ３１に切り替える（ステップＳ２６）。また、擬似接続回路３６にも、第一の検知信号は入力されない。そのため、擬似接続回路３６は動作しない。
【００７７】
ＵＳＢコネクタ３１に電力が供給されると、ＵＳＢコネクタ３１の信号線接続端子３９は、短絡状態となる（ステップＳ２７／ＹＥＳ）。制御部３４は、ＵＳＢコネクタ３１の信号線接続端子３９が短絡状態となっていることを検出し、第二の検知信号を充電制御回路３５へ出力する（ステップＳ２８）。すなわち、制御部３４は、ＵＳＢコネクタ３１の信号線接続端子３９が短絡状態であることを検知することで、ＵＳＢコネクタ３１に電力が供給されていることを検出する。
【００７８】
そして、充電制御回路３５は、第二の検知信号が入力されると、切替部３３を介して入力される電力の電流値及び電圧値を制御した上で、二次電池への電力の供給を開始する（ステップＳ２９）。これにより、ＵＳＢコネクタ３１に供給される電力は二次電池へ供給され、二次電池の充電が開始される。
【００７９】
以上のように、本実施形態における電力供給線接続装置３０は、充電台による充電と、ＵＳＢインターフェースによる充電とを切り替えることが可能となる。
【００８０】
また、本実施形態においては、充電制御回路３５を用いることにより、二次電池に供給する電力を、より厳密に制御することが可能となるため、二次電池の充電をより効率的に行うことができる。
【００８１】
また、本実施形態における電力供給線接続装置３０における切替部３３は、第一の検知信号の有無に基づいて、充電制御回路３５の接続先を、ＵＳＢコネクタ３１と充電台接続部３２との間で切り替えている。そのため、ＵＢＳネクタ３１と充電台接続部３２とに供給された電力がそれぞれ、同時に充電制御回路３５に入力する事態は発生しない。これにより、本実施形態においては、ＵＢＳコネクタ３１と充電台接続部３２との間で電流が流れることによる、充電制御回路３５の誤作動や破損を防止することが可能となる。これにより、充電制御回路３５から出力される電力の変動を抑制することが可能となる。結果的に、充電制御回路３５に接続された二次電池の過充電等を防止することが出来る。
【００８２】
また、本実施形態の電力供給線接続装置３０によれば、ＵＳＢコネクタ３１と充電台接続部３２との配置に制約はない。そのため、ＵＳＢコネクタ３１を、充電台と充電台接続部３２とが接続している間でも、ＵＳＢコネクタ３１にカバーを取り付けることが出来る位置に配置させることができる。そのため、ＵＳＢコネクタ３１の防塵、防滴などが可能となる。
【００８３】
更に、本実施形態における電力供給線接続装置３０は、擬似接続回路３６を設けたことにより、制御端子３８から充電制御回路３５に対して第一の検知信号を伝達する必要がなくなる。そのため、充電制御回路３５は、第一の検知信号と第二の検知信号が入力される場合と比較して、簡易な構造とすることができる。
【００８４】
なお、本実施形態においては、ＵＳＢコネクタ３１に電力が供給されると、ＵＳＢコネクタ３１の信号線接続端子３９は短絡状態となることとしたが、これに限らない。すなわち、ＵＳＢコネクタ３１に電力が供給されると、ＵＳＢコネクタ３１の信号線接続端子３９が開放されることとしても良い。そして、制御部３４は信号線接続端子３９が開放状態となっていることを検出すると、第二の検知信号を出力することとしても良い。この場合には、擬似接続回路３６は、第一の検知信号が入力された場合、ＵＳＢコネクタ３１と制御部３４の入力端子の間を開放状態とする。
【００８５】
また、充電台にＵＳＢ充電アダプタが接続されている場合、充電台から制御端子３８に入力される信号に、該ＵＳＢ充電アダプタの信号線の状態の情報を含めることとしても良い。この場合、制御端子３８は、ＵＳＢ充電アダプタの信号線の状態の情報が含まれた信号を、第一の検知信号として、擬似接続回路３６に出力する。そして、擬似接続回路３６は、第一の検知信号に含まれるＵＳＢ充電アダプタの信号線の状態の情報に基づいて、ＵＳＢコネクタ３１の信号線接続端子３９の状態を制御することとしても良い。例えば、第一の検知信号に、ＵＳＢ充電アダプタの信号線が短絡しているという情報が含まれている場合には、ＵＳＢコネクタ３１の信号線接続端子３９の状態も短絡状態となるよう制御することとしても良い。
【００８６】
また、本実施形態においては、制御部３４は、ＵＳＢコネクタ３１の信号線接続端子３９が所定の状態となったことを検出した時には常に、第二の検知信号を出力することとしたが、これに限らない。例えば、制御部３４は、図７に示すように、充電制御回路３５から出力された電力が供給される二次電池４１の充電状態を監視することとしても良い。なお、二次電池４１の充電状態は、制御部３４が、二次電池４１の電圧を検出することにより監視できる。あるいは、充電制御回路３５が二次電池４１の電圧の検出を行い、その検出結果を制御部３４に伝達することしても良い。
【００８７】
そして、制御部３４は、二次電池４１が満充電でない状態、すなわち二次電池４１の電圧が所定の値未満であり、且つ、ＵＳＢコネクタ３１の信号線接続端子３９が所定の状態となったことを検出した時に、第二の検知信号を出力することとしても良い。これにより、二次電池４１が満充電であるにも関わらず、充電制御回路３５が二次電池に電力を供給してしまい、過充電となってしまうことを防止することができる。
【００８８】
更に、制御部３４は、二次電池４１が充電されている間も、二次電池４１の充電状態を監視することとしても良い。そして、制御部３４は、二次電池４１の電圧が所定の値以上、すなわち二次電池４１の充電状態が満充電となったことを検出した時は、充電制御回路３５に対して、充電制御回路３５が出力する電力の電圧値を一定にしつつ、電流値を下げることを指示する制御信号を出力することとしても良い。
［第４の実施形態］
本発明の第４の実施形態における電力供給線接続装置について、図８を用いて説明する。本実施形態における電力供給線接続装置５０は、ＵＳＢコネクタ５１と、充電台接続部５２と、切替部５３と、制御部５４と、充電制御回路５５と、ＯＲゲート５６と、を備える。
【００８９】
ＵＳＢコネクタ５１は、信号線と電気的に接続する信号線接続端子５９と、電力供給線と電気的に接続する電力供給線接続端子６０を有する。充電台接続部５２は、充電端子５７と、制御端子５８を有し、充電台に接続可能である。充電端子５７は、充電台側の充電端子と接続する。制御端子５８は、充電台が充電台接続部５２に接続したことを検出した場合、第一の検知信号を切替部５３に伝達する。切替部５３は、第一の検知信号を受信している時は、充電台接続部５２と充電制御回路５５とが接続する状態に切り替える。一方、切替部５３は、第一の検知信号を受信していない時は、ＵＳＢコネクタ５１と充電制御回路５５とが接続している状態に切り替える。制御部５４は、ＵＳＢコネクタ５１の信号線接続端子５９が所定の状態となったことを検知した場合、第二の検知信号を出力する。このとき、充電制御回路５５は、二次電池への電力の供給を開始する。
【００９０】
ＯＲゲート５６の入力には、制御部５４及び制御端子５８の出力が接続される。そして、ＯＲゲート５６は、第一の検知信号と第二の検知信号の少なくとも一方が入力された場合、充電制御回路５５へ第三の検知信号を出力する。すなわち、制御部５４及び制御端子５８からＯＲゲート５６への出力のうち、少なくとも一方がＨＩＧＨレベルであった場合、ＯＲゲート５６の出力はＨＩＧＨレベルとなる。一方、ＯＲゲート５６に、第一の検知信号及び第二の検知信号のいずれも入力されない場合には、第三の検知信号は出力されない。すなわち、ＯＲゲート５６の出力はＬＯＷレベルとなる。
【００９１】
そして、充電制御回路５５は、第三の検知信号が入力された場合、二次電池への電力の供給を開始する。
【００９２】
次に、本実施形態における電力供給線接続装置５０の動作について、図９を用いて説明する。電力供給線接続装置５０の動作は、第３の実施形態と同様、制御端子５８からの第一の検知信号の出力の有無によって、分岐する（ステップＳ３１）。
【００９３】
初めに、充電台を充電台接続部５２に接続することで充電をする場合について述べる。充電台が充電台接続部５２に接続された場合、制御端子５８は、充電台から入力される信号を、第一の検知信号として出力する。すなわち、制御端子５８からの出力は、ＨＩＧＨレベルとなる（ステップＳ３１／ＹＥＳ）。なお、本実施形態においても、第３の実施形態と同様、制御端子５８は、充電台接続部５２に含まれており、充電台に接続可能な端子であるとする。
【００９４】
制御端子５８から出力された第一の検知信号は、切替部５３に入力される。この場合、切替部５３は、充電制御回路５５の接続先を充電台接続部５２に切り替える（ステップＳ３２）。
【００９５】
また、制御端子５８が出力した第一の検知信号は、ＯＲゲート５６にも入力される（ステップＳ３３）。
【００９６】
ＯＲゲート５６は、第一の検知信号が入力されると、第三の検知信号を充電制御回路５５へ出力する（ステップＳ３４）。
【００９７】
そして、充電制御回路５５は、第三の検知信号が入力されると、切替部５３を介して入力される電力の電流値及び電圧値を制御した上で、二次電池への電力の供給を開始する（ステップＳ３５）。これにより、充電台接続部５２から供給される電力は二次電池へ供給され、二次電池の充電が開始される。
【００９８】
この時、たとえＵＳＢコネクタ５１に電力が供給されたとしても、切替部５３に第一の検知信号が入力されているので、切替部５３は接続の切り替えを行わない。そのため、二次電池の過充電が発生することはない。
【００９９】
次に、ＵＳＢインターフェースによる充電を行う場合について述べる。初めに、ＵＳＢコネクタ５１に、例えばＵＳＢ充電アダプタが接続され、電力が供給される。なお、この時、充電台接続部５２も充電台に接続している場合には（ステップＳ３１／ＹＥＳ）、ステップＳ３２に進む。一方、充電台接続部５２に充電台が接続していない場合には、第一の検知信号は出力しない。すなわち、制御端子５８からの出力は、ＬＯＷレベルとなる（ステップＳ３１／ＮＯ）。そのため、切替部５３は、充電制御回路５５の接続先をＵＳＢコネクタ５１に切り替える（ステップＳ３６）。制御部５４は、ＵＳＢコネクタ５１の信号線接続端子５９が短絡状態となっているか判定する（ステップＳ３７）
ＵＳＢコネクタ５１に電力が供給されると、信号線接続端子５９は短絡状態となる（ステップＳ３７／ＹＥＳ）。そして、制御部５４は、ＵＳＢコネクタ５１の信号線接続端子５９が短絡状態となっていることを検出し、第二の検知信号を出力する。そして、第二の検知信号は、ＯＲゲート５６に入力される（ステップＳ３８）。
【０１００】
ＯＲゲート５６は、第二の検知信号が入力されたことをうけて、第三の検知信号を充電制御回路５５へ出力する（ステップＳ３９）。
【０１０１】
そして、充電制御回路５５は、第三の検知信号が入力されると、切替部５３を介して入力される電力の、二次電池への供給を開始する（ステップＳ４０）。これにより、ＵＳＢコネクタ５１から供給される電力は二次電池へ供給され、二次電池の充電が開始される。
【０１０２】
以上のように、本実施形態においては、ＯＲゲート５６を使用したロジック制御により、二次電池の充電の開始を行う。そのため、本実施形態における電力供給線接続装置５０を用いた場合、以下のような効果を奏する。
【０１０３】
第一に、電力供給線接続装置５０においては、擬似接続回路を有する電力供給線接続装置３０と比較して、簡易な回路とすることが可能となる。そのため、電力供給線接続装置の更なる原価低減を実現することが可能となる。
【０１０４】
第二に、電力供給線接続装置５０のＵＳＢコネクタ５１は、充電台による充電を行っている間、充電用途以外の用途に使用することが可能となる。すなわち、電力供給線接続装置３０においては、充電台による充電を行っている間、擬似接続回路３６によって、ＵＳＢコネクタ３１の信号線接続端子３９は短絡状態となっているため、ＵＳＢコネクタ３１によるデータ通信等は出来ない状態となる。一方、本実施形態における電力供給線接続装置５０においては、充電台による充電を行っている間、信号線接続端子５９は制御されない。そのため、ＵＳＢコネクタ５１を他の用途、例えばデータの転送などに使用することができる。
［第５の実施形態］
本発明の第５の実施形態における電力供給線接続装置について、図１０を用いて説明する。本実施形態における電力供給線接続装置７０は、第４の実施形態における電力供給線接続装置５０における制御端子５８の代わりに、充電台接続部５２とは異なる位置に配置された検出部７１を有する。
【０１０５】
検出部７１は、充電台が充電台接続部５２に接続されたことを検出した時、第一の検地信号を出力する。検出部７１は、例えば、機械的スイッチやＦＥＴ（ｆｉｅｌｄ  ｅｆｆｅｃｔ  ｔｒａｎｓｉｓｔｏｒ）スイッチなどを有する。
【０１０６】
機械的スイッチとは、例えば、充電台と充電台接続部５２を接続する際に、充電台の一部によって押下されるなどして動作するスイッチである。この場合、検出部７１は、機械的スイッチが押下されることによって、充電台と充電台接続部５２とが接続したことを検出する。ＦＥＴスイッチとは、例えば、充電端子５７に供給される電圧を検知するスイッチである。この場合、検出部７１は、ＦＥＴスイッチが電圧を検知することにより、充電台と充電台接続部５２とが接続したことを検出する。
【０１０７】
検出部７１の構成はこれらに限られず、例えば、ホール効果を利用した磁気センサや、充電台を充電台接続部５２に接続した際に点灯する光を検出する光センサなどを有することとしても良い。
【０１０８】
なお、第４の実施形態においては、制御端子５８が出力する第一の検知信号は、充電台から供給される信号であることとした。一方、本実施形態における検出部７１が出力する第一の検知信号は、検出部７１が、充電台と充電台接続部５２とが接続したことを検出した場合に、検出部７１で生成され、出力される検知信号である。
【０１０９】
次に、本実施形態における電力供給線接続装置７０の動作について、図１１を用いて説明する。電力供給線接続装置７０の動作は、検出部７１が、充電台と充電台接続部５２との接続を検知したか否かによって、分岐する（ステップＳ４１）。なお、ＵＳＢインターフェースによる充電を行う場合については（ステップＳ４１／ＮＯ）、第４の実施形態の電力供給線接続装置５０を用いた場合と同様であるため、説明は省略する。
【０１１０】
充電台を充電台接続部５２に接続することで充電をする場合について述べる。この場合、検出部７１は、充電台が充電台接続部５２に接続されたことを検知する（ステップＳ４１／ＹＥＳ）。そして、検出部７１は第一の検知信号を出力する（ステップＳ４２）。
【０１１１】
検出部７１から出力された第一の検知信号は、切替部５３に入力される。そして、切替部５３は、充電制御回路５５の接続先を充電台接続部５２に切り替える（ステップＳ４３）。
【０１１２】
また、検出部７１が出力した第一の検知信号は、ＯＲゲート５６にも入力される（ステップＳ４４）。
【０１１３】
ＯＲゲート５６は、第一の検知信号が入力されたことをうけて、第三の検知信号を充電制御回路５５へ出力する（ステップＳ４５）。
【０１１４】
そして、充電制御回路５５は、第三の検知信号が入力されると、切替部５３を介して入力される電力の、二次電池への供給を開始する（ステップＳ４６）。これにより、充電台接続部５２から供給される電力は二次電池へ供給され、二次電池の充電が開始される。
【０１１５】
以上のように、本実施形態においては、検出部７１を、充電台接続部５２とは異なる位置に配置し、ＯＲゲート５６を使用したロジック制御により、二次電池の充電の開始を行う。そのため、本実施形態における電力供給線接続装置７０を用いた場合、第４の実施形態における電力供給線接続装置５０を用いた場合に奏する効果に加えて、以下のような効果を奏する。
【０１１６】
本実施形態の電力供給線接続装置７０においては、検出部７１が充電台側の端子と接続する必要がないため、電力供給線接続装置７０と充電台との接続箇所を削減することが可能となる。そのため、電力供給線接続装置７０及び充電台の更なる原価低減が可能となる。
【０１１７】
なお、本実施形態においては、電力供給線接続装置７０はＯＲゲート５６を有することとしたが、これに限らない。例えば、ＯＲゲート５６の代わりに、第３の実施形態の充電装置３０と同様、擬似接続回路を有することとしても良い。すなわち、電力供給線接続装置３０における制御端子３８に替えて、充電台接続部３２と異なる位置に配置させた検出部を備えた構成としても良い。
【０１１８】
更に、第１の実施形態乃至第５の実施形態における制御を、ＣＰＵ（Ｃｅｎｔｒａｌ  Ｐｒｏｃｅｓｓｉｎｇ  Ｕｎｉｔ）に行わせることとしてもよい。この場合は、各実施形態の機能を実現するソフトウェアのプログラムコードを記録した記録媒体を用意し、汎用コンピュータが記録媒体に格納されたプログラムコードを読み出し電力供給線接続装置として動作することによっても、達成されることは言うまでもない。
【０１１９】
すなわち、第一の電力供給線と第一の電力供給線接続部との電気的接続の有無を判定する工程と、第一の電力供給線と第一の電力供給線接続部とが電気的に接続していると判定した場合、第一の電力供給線接続部が出力部と接続しているときは、その状態を保持し、出力部が第二の電力供給線接続部と接続しているときは、出力部と第一の電力供給線接続部が接続するように切り替える工程と、第一の電力供給線と第一の電力供給線接続部とが電気的に接続していないと判定した場合、第一の電力供給線接続部が出力部と接続しているときは、出力部が第二の電力供給線接続部と接続するように切り替え、出力部が第二の電力供給線接続部と接続しているときは、その状態を保持する工程と、をコンピュータに実行させる電力供給線接続プログラムを読み出して、電力供給線接続装置として動作することしても良い。
【０１２０】
なお、プログラムを供給する記録媒体としては、例えば、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ−Ｒ（Ｄｉｇｉｔａｌ  Ｖｅｒｓａｔｉｌｅ  Ｄｉｓｋ  Ｒｅｃｏｒｄａｂｌｅ）、光ディスク、磁気ディスク、不揮発性メモリカードなど、上記プログラムを記憶できるものであれば良い。
【０１２１】
上記の実施形態の一部又は全部は、以下の付記のようにも記載されうるが、以下には限られない。
【０１２２】
（付記１）第一の電力供給線と電気的に接続する第一の電力供給線接続を含む第一の接続部と、第二の電力供給線と電気的に接続する第二の電力供給線接続部を含む第二の接続部と、前記第一の電力供給線接続部または前記第二の電力供給線接続部に供給される電力を出力する出力部と、前記出力部と前記第一の電力供給線接続部とが接続された第一の状態と、前記出力部と前記第二の電力供給線接続部とが接続された第二の状態とを切り替える切替部と、前記第一の電力供給線と前記第一の電力供給線接続部とが電気的に接続している時、第一の検知信号を前記切替部に伝達する第一の検知部と、を有し、前記切替部は、前記第一の検知信号を受信している時は、前記第一の状態を保持し、前記第一の検知信号を受信していない時は、前記第二の状態を保持する電力供給線接続装置。
【０１２３】
（付記２）前記第一の検知部は、前記第一の接続部に含まれる制御端子を含み、前記第一の電力供給線と前記第一の電力供給線接続部とが接続された時に前記制御端子を通して入力される信号を、前記第一の検知信号として前記切替部に伝達する、付記１に記載の電力供給線接続装置。
【０１２４】
（付記３）前記第一の検知部は、前記第一の接続部と別個に配置された検出部を備え、前記検出部は、前記第一の電力供給線と前記第一の電力供給線接続部とが電気的に接続したことを検知した時に、前記第一の検知信号を出力する、付記１に記載の電力供給線接続装置。
【０１２５】
（付記４）前記第一の検知部は、機械的スイッチ、磁気センサ、光センサ、またはＦＥＴスイッチのうち少なくともいずれか一つを有する、付記３に記載の電力供給線接続装置。
【０１２６】
（付記５）前記出力部は、出力する電力の電流値及び電圧値の制御を行う、付記１乃至４のいずれか一つに記載の電力供給線接続装置。
【０１２７】
（付記６）前記第二の接続部は、データ通信が可能な信号線と電気的に接続する信号線接続端子を有し、前記信号線接続端子は、前記第二の電力供給線から前記第二の電力供給線接続部に電力が供給されている時、所定の状態となり、前記出力部は、前記第一の検知信号の出力の有無と前記信号線接続端子の状態とに基づいて、前記第一の電力供給線接続部または前記第二の電力供給線接続部に供給される電力を出力する、付記１乃至５のいずれか一つに記載の電力供給線接続装置。
【０１２８】
（付記７）第二の検知部を更に備え、前記第二の検知部は、前記信号線接続端子が前記所定の状態となっていることを検知した時、第二の検知信号を出力し、前記第一の検知部と前記第二の検知部からの出力はそれぞれ、前記出力部に入力され、前記出力部は、前記第一の検知信号及び前記第二の検知信号の入力の有無に基づいて、前記第一の電力供給線接続部または前記第二の電力供給線接続部に供給される電力を出力する、付記６に記載の電力供給線接続装置。
【０１２９】
（付記８）第二の検知部と、前記第一の検知部からの出力が入力される擬似接続回路と、を更に備え、前記第二の検知部は、前記信号線接続端子が前記所定の状態となっていることを検知した時、第二の検知信号を出力し、前記擬似接続回路は、前記第一の検知信号が入力された時、前記信号線接続端子が前記所定の状態になるよう制御し、前記出力部は、前記第二の検知信号が入力された時、前記第一の電力供給線接続部または前記第二の電力供給線接続部に供給される電力を出力する、付記６に記載の電力供給線接続装置。
【０１３０】
（付記９）第二の検知部と、前記第一の検知部及び前記第二の検知部の出力に接続されたＯＲゲートと、を更に備え、前記第二の検知部は、前記信号線接続端子が前記所定の状態となっていることを検知した時、第二の検知信号を出力し、前記ＯＲゲートは、前記第一の検知信号と前記第二の検知信号の少なくともいずれか一方が前記ＯＲゲートに入力された時、第三の検知信号を出力し、前記出力部は、前記第三の検知信号が入力された時、前記第一の電力供給線接続部または前記第二の電力供給線接続部に供給される電力を出力する、付記６に記載の電力供給線接続装置。
【０１３１】
（付記１０）前記第二の検知部は、前記出力部から出力される電力が供給される電池の電圧を監視し、前記第二の検知部は、前記信号線接続端子が前記所定の状態であり、且つ、前記電池の電圧が所定の値未満であることを検知した時、前記第二の検知信号を出力する、付記７乃至９のいずれか一つに記載の電力供給線接続装置。
【０１３２】
（付記１１）第一の電力供給線と第一の電力供給線接続部との電気的接続の有無を判定し、前記第一の電力供給線と第一の電力供給線接続部とが電気的に接続していると判定した場合、前記第一の電力供給線接続部が出力部と接続しているときは、その状態を保持し、前記出力部が第二の電力供給線接続部と接続しているときは、前記出力部と前記第一の電力供給線接続部が接続するように切り替え、前記第一の電力供給線と第一の電力供給線接続部とが電気的に接続していないと判定した場合、前記第一の電力供給線接続部が出力部と接続しているときは、前記出力部が前記第二の電力供給線接続部と接続するように切り替え、前記出力部が第二の電力供給線接続部と接続しているときは、その状態を保持する電力供給線接続方法。
【０１３３】
（付記１２）前記出力部が出力する電力の電流値及び電圧値の制御を行う、付記１１に記載の電力供給線接続方法。
【０１３４】
（付記１３）データ通信が可能な信号線と電気的に接続する信号線接続端子が所定の状態であるか否かを判定し、前記第一の電力供給線と前記第一の電力供給線接続部との電気的接続の有無と、前記信号線接続端子の状態とに基づいて、前記第一の電力供給線接続部または前記第二の電力供給線接続部に供給される電力を出力し、前記信号線接続端子は、前記第二の電力供給線接続部に電力が供給されると、前記所定の状態となる、付記１１または１２に記載の電力供給線接続方法。
【０１３５】
（付記１４）前記第一の電力供給線と前記第一の電力供給線接続部とが電気的に接続している時、第一の検知信号を出力し、前記信号線接続端子が前記所定の状態である時、第二の検知信号を出力し、前記第一の検知信号と前記第二の検知信号の、前記出力部への入力の有無に基づいて、前記第一の電力供給線接続部または前記第二の電力供給線接続部に供給される電力を出力する、付記１３に記載の電力供給線接続方法。
【０１３６】
（付記１５）前記第一の電力供給線と前記第一の電力供給線接続部とが電気的に接続している時、第一の検知信号を出力し、前記信号線接続端子が前記所定の状態である時、第二の検知信号を出力し、前記第一の検知信号が送出された時、前記信号線接続端子が前記所定の状態になるよう制御し、前記第二の検知信号の、前記出力部への出力の有無に基づいて、前記第一の電力供給線接続部または前記第二の電力供給線接続部に供給される電力を出力する、付記１３に記載の電力供給線接続方法。
【０１３７】
（付記１６）前記第一の電力供給線と前記第一の電力供給線接続部とが電気的に接続している時、第一の検知信号を出力し、前記信号線接続端子が前記所定の状態である時、第二の検知信号を出力し、前記第一の検知信号と前記第二の検知信号の少なくともいずれか一方が出力された時、第三の検知信号を出力し、前記第三の検知信号の、前記出力部への出力の有無に基づいて、前記第一の電力供給線接続部または前記第二の電力供給線接続部に供給される電力を出力する、付記１３に記載の電力供給線接続方法。
【０１３８】
（付記１７）前記出力部から出力される電力が供給される電池の電圧を監視し、前記信号線接続端子が前記所定の状態であり、且つ、前記電池の電圧が所定の値未満であることを検知した時、前記第二の検知信号を出力する、付記１４乃至１６のいずれか一つに記載の電力供給線接続方法。
【０１３９】
（付記１８）第一の電力供給線と第一の電力供給線接続部との電気的接続の有無を判定する工程と、前記第一の電力供給線と第一の電力供給線接続部とが電気的に接続していると判定した場合、前記第一の電力供給線接続部が出力部と接続しているときは、その状態を保持し、前記出力部が第二の電力供給線接続部と接続しているときは、前記出力部と前記第一の電力供給線接続部が接続するように切り替える工程と、前記第一の電力供給線と第一の電力供給線接続部とが電気的に接続していないと判定した場合、前記第一の電力供給線接続部が出力部と接続しているときは、前記出力部が前記第二の電力供給線接続部と接続するように切り替え、前記出力部が第二の電力供給線接続部と接続しているときは、その状態を保持する工程と、をコンピュータに実行させる電力供給線接続プログラム。
【０１４０】
（付記１９）前記出力部が出力する電力の電流値及び電圧値の制御を行う工程を更にコンピュータに実行させる、付記１８に記載の電力供給線接続プログラム。
【０１４１】
（付記２０）データ通信が可能な信号線と電気的に接続する信号線接続端子が所定の状態であるか否かを判定し、前記第一の電力供給線と前記第一の電力供給線接続部との電気的接続の有無と、前記信号線接続端子の状態とに基づいて、前記第一の電力供給線接続部または前記第二の電力供給線接続部に供給される電力を出力する出力工程を更にコンピュータに実行させ、前記信号線接続端子は、前記第二の電力供給線接続部に電力が供給されると、前記所定の状態となる、付記１８または１９に記載の電力供給線接続プログラム。
【０１４２】
（付記２１）前記第一の電力供給線と前記第一の電力供給線接続部とが電気的に接続している時、第一の検知信号を出力する第一の信号送出工程と、前記信号線接続端子が前記所定の状態である時、第二の検知信号を出力する第二の信号送出工程と、を更にコンピュータに実行させ、前記出力工程は、前記第一の検知信号と前記第二の検知信号の、前記出力部への入力の有無に基づいて、前記第一の電力供給線接続部または前記第二の電力供給線接続部に供給される電力を出力する付記２０に記載の電力供給線接続プログラム。
【０１４３】
（付記２２）前記第一の電力供給線と前記第一の電力供給線接続部とが電気的に接続している時、第一の検知信号を出力する第一の信号送出工程と、前記信号線接続端子が前記所定の状態である時、第二の検知信号を出力する第二の信号送出工程と、前記第一の検知信号が送出された時、前記信号線接続端子が前記所定の状態になるよう制御する工程と、を更にコンピュータに実行させ、前記出力工程は、前記第二の検知信号の、前記出力部への出力の有無に基づいて、前記第一の電力供給線接続部または前記第二の電力供給線接続部に供給される電力を出力する、付記２０に記載の電力供給線接続プログラム。
【０１４４】
（付記２３）前記第一の電力供給線と前記第一の電力供給線接続部とが電気的に接続している時、第一の検知信号を出力する第一の信号送出工程と、前記信号線接続端子が前記所定の状態である時、第二の検知信号を出力する第二の信号送出工程と、前記第一の検知信号と前記第二の検知信号の少なくともいずれか一方が出力された時、第三の検知信号を出力する工程と、を更にコンピュータに実行させ、前記出力工程は、前記第三の検知信号の、前記出力部への出力の有無に基づいて、前記第一の電力供給線接続部または前記第二の電力供給線接続部に供給される電力を出力する、付記２０に記載の電力供給線接続プログラム。
【０１４５】
（付記２４）前記出力部から出力される電力が供給される電池の電圧を監視する工程を更にコンピュータに実行させ、前記第二の信号送出工程は、前記信号線接続端子が前記所定の状態であり、且つ、前記電池の電圧が所定の値未満であることを検知した時、前記第二の検知信号を出力する、付記２１乃至２３いずれか一つに記載の電力供給線接続プログラム。
【０１４６】
（付記２５）コンピュータに読み取り可能な情報記憶媒体であって、付記１８乃至２４のいずれか一つに記載の電力供給線接続プログラムを記録する記録媒体。
【産業上の利用可能性】
【０１４７】
本発明の電力供給線接続装置及び電力供給線接続方法は、複数の電力供給線接続部を有する装置に適用可能であり、例えば、出力する電力によって二次電池の充電を行う充電装置に適用可能である。特に、携帯端末や音楽プレーヤーなど、小型携帯可般タイプの情報端末などに適している。
【符号の説明】
【０１４８】
１０、２０、３０、５０、７０  電力供給線接続装置
１１、２１  第一の接続部
１２、２２  第二の接続部
１６、２９  第一の電力供給線接続部
１７、２７  第二の電力供給線接続部
１３、２３  出力部
１４、２４、３３、５３  切替部
１５、２５  第一の検知部
２６  第二の検知部
４０、６０  電力供給線接続端子
２８、３９、５９  信号線接続端子
３１、５１  ＵＳＢコネクタ
３２、５２  充電台接続部
３４、５４  制御部
３５、５５  充電制御回路
３６  擬似接続回路
３７、５７  充電端子
３８、５８  制御端子
４１  二次電池
５６  ＯＲゲート
７１  検出部
【図１】
0005792525.tif 000002
【図２】
0005792525.tif 000003
【図３】
0005792525.tif 000004
【図４】
0005792525.tif 000005
【図５】
0005792525.tif 000006
【図６】
0005792525.tif 000007
【図７】
0005792525.tif 000008
【図８】
0005792525.tif 000009
【図９】
0005792525.tif 000010
【図１０】
0005792525.tif 000011
【図１１】
0005792525.tif 000012
【図１２】
0005792525.tif 000013